(57)【要約】    【課題】着用者が自分で足に合わせて組み立てることができる靴の提供。    【解決手段】本発明に係る組み立て式靴１は、前部品３と後部品５と締結具６とを備えている。この前部品３と後部品５とは、それぞれ靴底とアッパーとを備えている。上記前部品３のアッパー９は、靴１の幅方向両側に一対のアッパー片を備えており、このアッパー片には、それぞれ上端が切り込まれて形成された複数の閉じ合わせ片１５が備えられている。また、上記前部品３の靴底の後部及び上記後部品５の靴底の前部には、上記前部品３と後部品５とが前後方向のサイズ調節可能に係合されるための係合部１７及び２７が備えられている。上記締結具６は、帯体とバックルとを備え、上記前部品３と上記後部品５とが係合され、上記前部品３のアッパー９が上記閉じ合わせ片１５により閉じられた状態において、上記前部品３と後部品５とがこの締結具６で締結される。【選択図】図１
2005143901.tif 000002
【特許請求の範囲】
【請求項１】
前部品と後部品と締結具とを備え、
前部品と後部品とは、それぞれ靴底とアッパーとを備えており、
上記前部品のアッパーは、靴の幅方向両側に一対のアッパー片を備えており、
このアッパー片には、それぞれ上端が切り込まれて形成された複数の閉じ合わせ片が備えられており、
上記前部品の靴底の後部及び上記後部品の靴底の前部には、上記前部品と後部品とが前後方向のサイズ調節可能に係合されるための係合部が備えられており、
上記締結具は、帯体とバックルとを備えており、
上記前部品と上記後部品とが係合され、上記前部品のアッパーが上記閉じ合わせ片により閉じられた状態において、上記前部品と後部品とが上記締結具で締結される組み立て式靴。
【発明の詳細な説明】
【技術分野】
【０００１】
本発明は、足に合わせて組み立てできる組み立て式靴に関する。
【背景技術】
【０００２】
靴は、一足ごとに複雑な工程を経て製造されている。靴の各サイズごとに、アッパーがラストに吊り込まれて作製され、靴底が金型で作製される。このアッパーと靴底とが接着され一つの銘柄の靴に０．５ｃｍきざみのサイズの金型が必要になる。また、流通経路においては使用者の需要に応じるためには各種サイズの多大な在庫を抱えることになる。それにもかかわらず、これらの靴が使用者にぴったりとフィットしにくい。
【発明の開示】
【発明が解決しようとする課題】
【０００３】
本発明はこのような現状に鑑みてなされたものであり、部品を組み合わせて異なるサイズに適応でき、着用者が自分で足に合わせて組み立てることができる靴の提供を目的としている。
【課題を解決するための手段】
【０００４】
本発明に係る組み立て式靴は、前部品と後部品と締結具とを備えている。この前部品と後部品とは、それぞれ靴底とアッパーとを備えている。上記前部品のアッパーは、靴の幅方向両側に一対のアッパー片を備えており、このアッパー片には、それぞれ上端が切り込まれて形成された複数の閉じ合わせ片が備えられている。また、上記前部品の靴底の後部及び上記後部品の靴底の前部には、上記前部品と後部品とが前後方向のサイズ調節可能に係合されるための係合部が備えられている。上記締結具は、帯体とバックルとを備えており、上記前部品と上記後部品とが係合され、上記前部品のアッパーが上記閉じ合わせ片により閉じられた状態において、上記前部品と後部品とがこの締結具で締結される。
【０００５】
この前部品及び後部品は、共に可撓性を備えた高分子重合物を材料として、一度に成形されてなる一体の成形物であることが好ましい。また、締結具は、弾性を有し伸縮可能な帯状の材料がバックルに通されて組み立て靴の周りを環状に締結することが好ましい。
【発明の効果】
【０００６】
この組立て式靴では、一つの前部品と後部品とのセットで通常の靴の数種類分のサイズがカバーできる。この靴は、足の長さ、幅及び甲高さの違いを吸収して履くことができる。足に合わせて組み立てられるため靴が個性ある各装着者の足にぴったりとフィットする。この靴に屈曲追随性及び緩衝性も備えることができるため、快適な履き心地が得られる。製造業者にとっては、簡素な工程で運転経費が大幅に節減できる。また、流通経路が不要で直接需要者に供給できるので、利益率がよい。流通業者にとっては、少ない在庫で需要に応じることができ経費の節減になる。また、レアサイズの需要にもその場で、調節して提供でき需要者への細やかなサービスができる。
【発明を実施するための最良の形態】
【０００７】
以下、適宜図面が参照されつつ、好ましい実施形態に基づいて本発明が詳細に説明される。
【０００８】
図１は、本発明の一実施形態にかかる組み立て式靴１（以下「靴１」ということがある）が示された正面図である。靴１は前部品３と後部品５と締結具６とを備えている。図２は、図１の靴１の平面図である。この図２の靴１は、右足用である。左足用の靴もこの右足用靴と同様の構造になっている。この組み立て式靴１は、前部品３と後部品５とから靴本体が構成されている。図３ａは、組み立て前の前部品３の成形体が示された平面図である。図３ｂは、組み立て前の後部品５の平面図である。図４は、図２のIV−IV線に沿った断面図である。図５ａは、図１のV−V線に沿った断面図であり、図５ｂ及び図５ｃは、それぞれ組み立て前の前部品３と後部品５とが示されている。前部品は前靴底７と前アッパー９とを備えている。
【０００９】
前アッパー９の爪先部１１は、通常の靴と同様の形状で、爪先部１１が一体に覆われて形成されている。この爪先部１１は、使用者が運動中に急停止したり、また歩行中障害物に当たりやすいために設けられている。図３ａに示されているように、上記前アッパー９は、靴の幅方向内側と外側とにそれぞれ一対のアッパー片１３ａ及び１３ｂを備えている。前部品３では、爪先部１１を除き、その直後からアッパー片１３が前部品の後端まで形成されている。このアッパー片１３は靴底の縁から起立する一体のシート状に形成されている。各アッパー片１３ａ及び１３ｂの靴の幅方向の幅は、両方のアッパー片１３が組み合わされるために、組み合わせ代が靴の幅の中央で重なる大きさである。
【００１０】
このアッパー片１３が組み合わされるように、それぞれアッパー片１３の上端が切り込まれて形成された複数の閉じ合わせ片１５が備えられている。この閉じ合わせ片１５の幅や切り込み寸法は、足の長さに対応する標準的な足幅及び甲高さに設定される。この標準で閉じ合わせ片１５が重ね合わされたときに十分な余裕を持つように閉じ合わせ片の切り込み長さが設定される。この一対のアッパー片１３が互いの閉じ合わせ片１５が重ね合わされ前アッパー９が形成される。
【００１１】
上記の閉じ合わせ片１５の数は特に限定されないが少なすぎると、足幅や甲高さのバラエティへの融通性が小さくなり、組み合わせ式靴１のメリットを減少させる。また、この数が多すぎると、製造工程における金型その他の費用が嵩み、また、組み合わせのときの手間が煩わしくなる。この観点から、各アッパー片１３の閉じ合わせ片１５の数は、３以上８以下が適当である。より好ましくは４以上６以下である。
【００１２】
図４に示されているように、この閉じ合わせ片１５は、長さ方向に並んでいる順にアッパー片１３ａ側とアッパー片１３ｂ側とが交互に上下に入れ替わり填め合わされて閉じられる。前アッパー９の組み立て時には、足に合わせてフィットする閉じ合わせ片の重なり部分で接着されて前アッパー９が形成される。閉じるときに、後述される中履きの余裕分等も考慮して足に履いて閉じ合わせ片の重ね合わせ位置を設定すると的確にフィットさせられる。
【００１３】
この前部品３の後部には、後部品５と係合されるための係合部１７を備えている。後部品の係合部とともにこの係合部１７により、足のサイズに合わせて靴の前後方向にサイズ調節ができる。係合部１７の形式及び形状は特に限定されないが、通常は複数の凹部と、これに対応する形状の凸部とを係合要素とする組み合わせによる。図１の靴１では前部品３に貫通溝孔１９が設けられており、後部品５には、この溝孔１９に填め合わされる棒状突起２１が設けられている。靴の長さの寸法合わせは、この溝孔１９の間隔単位で調節される。この溝孔１９の間隔が大きすぎると細かい調節ができなくなる。細かすぎると、係合の強度が小さくなり又設備費用が高くなり恐れがある。このため溝孔１９の間隔は１ｍｍ以上７ｍｍ以下程度が好ましい。より好ましくは１．５ｍｍ以上４ｍｍ以下である。
【００１４】
後部品５は、後靴底２３と後アッパー２５と係合部２７とを備えている。後靴底２３には厚めの踵の接地部２９が設けられており、滑り止め３１の突起又は溝が形成されている。後アッパー２５は、通常の靴の長さ方向後半部分の形状とほぼ同様である。しかし、この靴１の内側周壁３３は後部品５の前部すなわち、足の土踏まず部３５及びその隣接領域に相当する部分が後靴底２３から切り離されている。この部分は、上記足にフィットさせるために調節する際に、人によって多様な形状となり得る。そのため、この内側周壁３１は、足にフィットされるためには、靴の中央部側に大きく倒れ込まなければならないことがある。このように、後靴底２３から切り離され内側周壁３３が固定されていないので、靴１の幅方向に自由に足にフィットさせることができる。これらの内側周壁３１、係合部２７及び踵接地部２９は同じ材質の可撓性樹脂又は組成物から一体的に成形されてなることが好ましい。
【００１５】
上記の前部品３と後部品５とは調節された後、図４に示されているように、係合部１７及び２７の係合要素である溝孔と突起とが填め込まれる。この係合要素はクリアランスがほとんどない形状で設けられることが好ましい。この係合要素は、打ち込むことにより填め合わされサイズが固定される。これにより、前部品３と後部品５が靴底７及び２３で接着されなくても、後述の締結具のみにより一体化され足にフィットされ得る。また、サイズが変更される必要が生じたときに、この係合部１７及び２７の填め合わせが解除して修正することができる。
【００１６】
図１から図５に示されている組み立て靴１は、前部品３の靴底の後部が後部品５の前部の上に重ね合わされている。この重ね合わせの上下関係は限定されず後部品５の靴底前部が前部品３の靴底の後部の上に重ねられてもよい。通常この前部品３と後部品５とが重なる領域は、それぞれの靴底７及び２３互いに補い合うテーパー状に形成されている。これにより、両者が係合されたときに靴底の重なり部がスムースな形状に形成される。この組み立て式靴１には、前部品３と後部品５との継ぎ目が生じる。この継ぎ目が足に当たる感触をなくすために、通常中敷き３７が用いられる。
【００１７】
この靴１は、前部品３及び後部品５がそれぞれの金型で一体成形されることが好ましい。この場合は、靴底及びアッパー共に同じ材質が用いられる。この材質は、靴底にもアッパーにも適した物性を備えることが好ましい。このため、主として用いられる材料は、ポリウレタン系、エチレン酢酸ビニル系等の樹脂又はゴムと樹脂とのエラストマー複合材料が例示される。さらに、靴底用には、厚みを厚くすることにより、硬度を持たせ又耐摩耗性が付与される。
【００１８】
前靴底７は、その先端部３９において厚く構成されている。この先端部３９に隣接する後の部分の靴底は、歩行時に爪先部が屈曲する部分である。この屈曲部４１は靴底の爪先と土踏まず部の境目の領域に相当する。この屈曲部４１が歩行にともなってスムースに屈曲するように靴底の厚さが相対的に薄く形成される。
【００１９】
前アッパー９及び後アッパー２５は上記材質が薄く形成されることにより可撓性が発揮される。あまり可撓性を高くするために薄くしすぎると耐久性が損なわれる恐れが生じるため、ある程度の厚みを備えている。靴底用に、より適した材料が選らばれたり又アッパーに、より適した材料が選ばれたりすることがある。前者の材料でアッパーが相対的に可撓性を欠く場合等には、靴１の部品として内側に袋状に納められ足を保護さするための中袋を設けることができる。この場合は、中敷きが省略でき又素足で履いてもよい。
【００２０】
図１及び図２に示されているように、前部品３と後部品５とが係合され、前アッパー９が閉じ合わせ片１５により閉じられた状態で締結具６が用いられることにより靴１が完成する。使用に当たり、締結具６は、屈曲部及び土踏まず部として靴底が薄めに形成されている靴底の厚みの薄い領域４５からアッパー９及びアッパー２５を取り囲んで拘束される。この薄い領域４５は路面と直接的な擦動が少ないため、締結具６の損傷が避けられる。
【００２１】
この締結具６は、弾性を備えバックル４７により長さが調節されて一定の位置で止められれば構造、材質は特に限定されない。調節しやすく、フィット性に優れる点から帯体４９がゴム材質からなることが好ましい。図６は、締結具６の一例が示された斜視図である。このバックル４７は、両端に２つの通し穴５１を備え中央部に突起５３を備えている。この締結具６は、上記バックル４７に一本のゴム製の帯体４９が両端をはみ出させて重ねられている。
【００２２】
この弾性を備えた締結具６でフィットさせた組み立て靴１は、着脱される際にも便利である。すなわち、履き口部５５に位置する閉じ合わせ片５７の先端が持ち上げられれば締結具６が延びて履き口部５５が拡がる。装着者が履くとき及び脱ぐときのいずれもこの閉じ合わせ片５７を持ち上げるだけで容易に足が入り、装着後はフィット感が得られる。
【００２３】
図７（ａ）は、本発明の他の実施形態に係る組み立て式靴５９が示された正面図である。この靴５９も図１の靴と同様に前部品６１と後部品６３と締結具６５とを備ている。この靴５９は、さらに靴底の屈曲部６７に波形屈曲部６９が設けられている。図６（ｂ）は、図７（ａ）のＢ−Ｂ線に沿った断面図である。この波形屈曲部６９により前述の屈曲性が確保されることがより好ましい。これによって歩行や運動による衝撃が緩和される。また、この波形屈曲部６９は、締結具６５との相乗効果によって、足の動きに対する靴の追随性がよくなるためにより快適な履き心地が得られる。
【００２４】
本発明の組立靴では、使用者が個性のある足に合わせて組み立てることができる。このためサイズが合わせにくい足形を持つ人にとっても履き心地がよく、スムースな歩行ができる。また、製造業者及び流通業者にとっては、在庫や流通の簡素化及び経費の節減ができる。
【産業上の利用可能性】
【００２５】
本発明は、作業用靴、室内上履き、老齢者用及び子供用靴に適用され得る。
【図面の簡単な説明】
【００２６】
【図１】図１は、本発明の一実施形態に係る組み立て靴が示された平面図である。
【図２】図２は、図１の靴の平面図である。
【図３】図３は、組み立て前の前部品及び後部品が示された平面図である。図３ｂは、組み立て前の後部品５の平面図である。図１の製造設備によって得られた丸棒鋼が示された断面図である。
【図４】図４は、図２のIV−IV線に沿った断面図である。
【図５】図５は、図１のV−V線に沿った断面図である。
【図６】図６は、締結具が示された斜視図である。
【図７】図７は、本発明の他の実施形態に係る組み立て靴が示された正面図である。
【符号の説明】
【００２７】
１、５９・・・組み立て式靴
３、６１・・・前部品
５、６３・・・後部品
６、６５・・・締結具
７・・・前靴底
９・・・前アッパー
１１・・・爪先部
１３・・・アッパー片
１５、５７・・・閉じ合わせ片
１７、２７・・・係合部
２９・・・踵接地部
３３・・・内側周壁
３５・・・土踏まず部
３７・・・中敷き
３９・・・靴底先端部
４１、６７・・・屈曲部
４５・・・薄い領域
４７・・・バックル
４９・・・帯体
５５・・・履き口
６９・・・波形屈曲部
【図１】
2005143901.tif 000003
【図２】
2005143901.tif 000004
【図３】
2005143901.tif 000005
【図４】
2005143901.tif 000006
【図５】
2005143901.tif 000007
【図６】
2005143901.tif 000008
【図７】
2005143901.tif 000009